(57)【要約】【課題】逆流防止弁を有する排水ピースを容易に着脱可能とし、且つ浴槽側の排水部における封水深を十分に確保することができる浴室ユニットの排水構造を提供する。【解決手段】洗い場側排水部と、浴槽側排水部と、浴槽排水管部と、を備えた浴室ユニットの排水構造であって、洗い場側排水部は、洗い場側溜水部と、下流配管接続部と、洗い場側封水筒と、逆流防止機能を有する排水ピースと、を備え、浴槽側排水部は、上部が開口し、水を溜めることが可能な浴槽側溜水部と、洗い場側溜水部の溢れ面とによって封水を形成可能な浴槽側封水筒と、を備え、排水ピースは、水平方向の移動は拘束されており、且つ洗い場側封水筒を取り外した状態における鉛直方向の移動は可能なように取り付けられていることを特徴とする浴室ユニットの排水構造が提供される。【選択図】図１
2010101050.tif 000002
【特許請求の範囲】
【請求項１】
洗い場床側に設けられた洗い場側排水部と、
浴槽側に設けられた浴槽側排水部と、
前記浴槽側排水部内の排水を前記洗い場側排水部内に導くことが可能な浴槽排水管部と、を備えた浴室ユニットの排水構造であって、
前記洗い場側排水部は、
上部が開口し、水を溜めることが可能な洗い場側溜水部と、
前記洗い場側溜水部内から溢れ出た水を、外部に排出する下流配管が接続される下流配管接続部と、
前記洗い場側溜水部の溢れ面とによって封水を形成可能な洗い場側封水筒と、
前記浴槽排水管部の端部に着脱可能に取り付けられ、前記洗い場側排水部に流入した排水が前記浴槽排水管部側に大量に流れ込むことを抑制するための逆流防止機能を有する排水ピースと、を備え、
前記浴槽排水部は、
上部が開口し、水を溜めることが可能な浴槽側溜水部と、
前記洗い場側溜水部の溢れ面とによって封水を形成可能な浴槽側封水筒と、を備え、
前記排水ピースは、水平方向の移動は拘束されており、且つ洗い場側封水筒を取り外した状態における鉛直方向の移動は可能なように取り付けられていることを特徴とする浴室ユニットの排水構造。
【請求項２】
前記洗い場側封水筒および前記浴槽側封水筒の下端と、前記洗い場側溜水部の溢れ面とによって形成される封水深は、それぞれ少なくとも５０ｍｍ以上確保されていることを特徴とする請求項１記載の浴室ユニットの排水構造。
【請求項３】
前記排水ピースには、上方に突出形成された取っ手部が形成されており、
前記洗い場側封水筒が取り付けられた状態において、前記取っ手部の上部と前記前記洗い場側封水筒とが当接することで、鉛直方向の移動が拘束されていることを特徴とする請求項１または２記載の浴室ユニットの排水構造。
【発明の詳細な説明】
【技術分野】
【０００１】
本発明は、浴室ユニットの排水構造に関するものである。
【背景技術】
【０００２】
従来から、浴室で使用された湯水を排水するにあたり、下水側の配管からの臭気の遮断や虫などの侵入防止のために、排水トラップが備えつけられている。特許文献１には、浴室の洗い場床側に排水トラップが備え付けられ、その排水トラップ内に浴槽の浴槽排水を合流させるものが開示されている。
【０００３】
浴槽排水口と排水トラップを繋ぐ浴槽排水管部における、排水トラップ側の端部には、排水ピースという部材が挿着されている。この排水ピースには２つの役割がある。１つ目の役割としては、洗い場から大量の水が流された際に、浴槽側に排水を逆流させないことである。２つ目の役割としては、浴槽側の排水部における封水深の下端を確保することである。特に後者の役割を果たすために、排水ピースは、浴槽排水管部の端部に水密的に挿着される必要があった。
【０００４】
しかしながら、排水ピースは水密的に挿着されているため、使用者が清掃する際に、取り外しおよび取り付けが困難であるという課題があった。また、排水ピース自体が目の届きにくい部位に備え付けられているため、より一層、取り外しや取り付けがしにくいということになる。
【特許文献１】特開２００１−１５２５０８号公報
【特許文献２】特許第３２６２１０５号
【発明の開示】
【発明が解決しようとする課題】
【０００５】
本発明の態様は、かかる課題の認識に基づいてなされたものであり、逆流防止弁を有する排水ピースを容易に着脱可能とし、且つ浴槽側の排水部における封水深を十分に確保することができる浴室ユニットの排水構造を提供する。
【課題を解決するための手段】
【０００６】
本発明の一態様によれば、洗い場床側に設けられた洗い場側排水部と、浴槽側に設けられた浴槽側排水部と、前記浴槽側排水部内の排水を前記洗い場側排水部内に導くことが可能な浴槽排水管部と、を備えた浴室ユニットの排水構造であって、前記洗い場側排水部は、上部が開口し、水を溜めることが可能な洗い場側溜水部と、前記洗い場側溜水部内から溢れ出た水を、外部に排出する下流配管が接続される下流配管接続部と、前記洗い場側溜水部の溢れ面とによって封水を形成可能な洗い場側封水筒と、前記浴槽排水管部の端部に着脱可能に取り付けられ、前記洗い場側排水部に流入した排水が前記浴槽排水管部側に大量に流れ込むことを抑制するための逆流防止機能を有する排水ピースと、を備え、前記浴槽側排水部は、上部が開口し、水を溜めることが可能な浴槽側溜水部と、前記洗い場側溜水部の溢れ面とによって封水を形成可能な浴槽側封水筒と、を備え、前記排水ピースは、水平方向の移動は拘束されており、且つ洗い場側封水筒を取り外した状態における鉛直方向の移動は可能なように取り付けられていることを特徴とする浴室ユニットの排水構造が提供される。
【発明の効果】
【０００７】
本発明の態様によれば、逆流防止弁を有する排水ピースを容易に着脱可能とし、且つ浴槽側の排水部における封水深を十分に確保することができる浴室ユニットの排水構造を提供することができる。
【発明を実施するための最良の形態】
【０００８】
第１の発明は、洗い場床側に設けられた洗い場側排水部と、浴槽側に設けられた浴槽側排水部と、前記浴槽側排水部内の排水を前記洗い場側排水部内に導くことが可能な浴槽排水管部と、を備えた浴室ユニットの排水構造であって、前記洗い場側排水部は、上部が開口し、水を溜めることが可能な洗い場側溜水部と、前記洗い場側溜水部内から溢れ出た水を、外部に排出する下流配管が接続される下流配管接続部と、前記洗い場側溜水部の溢れ面とによって封水を形成可能な洗い場側封水筒と、前記浴槽排水管部の端部に着脱可能に取り付けられ、前記洗い場側排水部に流入した排水が前記浴槽排水管部側に大量に流れ込むことを抑制するための逆流防止機能を有する排水ピースと、を備え、前記浴槽側排水部は、上部が開口し、水を溜めることが可能な浴槽側溜水部と、前記洗い場側溜水部の溢れ面とによって封水を形成可能な浴槽側封水筒と、を備え、前記排水ピースは、水平方向の移動は拘束されており、且つ洗い場側封水筒を取り外した状態における鉛直方向の移動は可能なように取り付けられていることを特徴とする浴室ユニットの排水構造である。  
この浴室ユニットの排水構造によれば、逆流防止弁を有する排水ピースを容易に着脱可能とし、且つ浴槽側の排水部における封水深を十分に確保することができる浴室ユニットの排水構造を提供することができる。
【０００９】
また、第２の発明は、第１の発明において、前記洗い場側封水筒および前記浴槽側封水筒の下端と、前記洗い場側溜水部の溢れ面とによって形成される封水深は、それぞれ少なくとも５０ｍｍ以上確保されていることを特徴とする浴室ユニットの排水構造である。
この浴室ユニットの排水構造によれば、封水深が少なくとも５０ｍｍ以上確保することによって、封水切れが生じることが少なくすることができ、建築基準法で規定されている封水深５０ｍｍ以上、１００ｍｍ以下という数値を満足することができる。
【００１０】
また、第３の発明は、第２の発明において、前記排水ピースには、上方に突出形成された取っ手部が形成されており、前記洗い場側封水筒が取り付けられた状態において、前記取っ手部の上部と前記洗い場側封水筒とが当接することを特徴とする請求項１または２記載の浴室ユニットの排水構造である。  
この浴室ユニットの排水構造によれば、取っ手部の上部と洗い場側封水筒が確実に当接することにより、洗い場側溜水部に大量の排水が流れ込んだ際に、排水の流れによる排水ピースの浮き上がりを防止することができる。また、取っ手部は、排水ピースを着脱する際に、使用者が掴むことができるため、操作性が向上する。
【００１１】
以下、本発明の実施の形態について図面を参照しつつ説明する。なお、各図面中、同様の構成要素には同一の符号を付して詳細な説明は適宜省略する。
図１〜図３は、本発明の一実施形態に係り、図１は、浴室ユニットの排水構造を例示する模式的断面図であり、図２は模式的斜視図である。図３は排水ピースを例示する模式的斜視図である。
【００１２】
図１および図２に表したように、本発明の実施形態に係る浴室ユニットの排水構造１００は、洗い場床１１０側に設けられた洗い場側排水部１２０と、浴槽側に設けられた浴槽側排水部１３０と、浴槽側排水部１３０内の排水を洗い場側排水部１２０内に導くことが可能な浴槽排水管部１３５と、を備えている。洗い場側排水部１２０は、上部が開口し、水を溜めることが可能な洗い場側溜水部１４０と、洗い場側溜水部１４０内から溢れ出た水を、外部に排出する下流配管１５０が接続される下流配管接続部１６０と、洗い場側溜水部１４０の溢れ面１６５とによって封水を形成可能な洗い場側封水筒１７０と、浴槽排水管部１３５の端部に着脱可能に取り付けられ、洗い場排水部１２０に流入した排水が浴槽排水管部１３５側に大量に流れ込むことを抑制するための逆流防止機能を有する排水ピース１９０と、を備えている。浴槽側排水部１３０は、上部が開口し、水を溜めることが可能な浴槽側溜水部２００と、洗い場側溜水部１４０の溢れ面１６５とによって封水を形成可能な浴槽側封水筒２１０と、を備え、排水ピース１９０は、水平方向の移動は拘束されており、且つ洗い場側封水筒１７０を取り外した状態における鉛直方向の移動は可能なように取り付けられている。
【００１３】
図１および図２に示すように、洗い場床１１０には、外フランジ状の洗い場側上端部２２１と内フランジ状の洗い場側下端部２２２と洗い場側中央筒部２２３とを有する洗い場側取付フランジ２２０が、洗い場床１１０に形成された洗い場側排水穴１１２の上部から取り付けられている。洗い場側上端部２２１の下面は、洗い場側気密パッキンを介して、洗い場床１１０の最下部に形成される排水ピット１１１の洗い場側排水穴１１２の周縁を挟持し、洗い場側溜水部１４０を洗い場床１１０に絞め付け固定している。洗い場側下端部２２２は、洗い場側封水筒１７０の外フランジ１７１が係合し、洗い場側封水筒１７０を支持している。洗い場側封水筒１７０は、洗い場側溜水部１４０に挿入されている。
【００１４】
浴槽側防水パン２３０側にも、外フランジ状の浴槽側上端部２４１と内フランジ状の浴槽側下端部２４２と浴槽側中央筒部２４３とを有する浴槽側取付フランジ２４０が、浴槽下方に配設された浴槽側防水パンの浴槽側排水穴２３１に上部から取り付けられている。浴槽側上端部２４１は、浴槽側気密パッキンを介して、浴槽側防水パン２３０の最下部に形成される浴槽側排水穴２３１の周縁を挟持し、浴槽側溜水部２００を浴槽側防水パン２３０に取り付けている。浴槽側下端部２４２は、浴槽側封水筒２１０の外フランジ２１１が係合し、浴槽側封水筒２１０を支持している。浴槽側封水筒２１０は、浴槽側溜水部２００に挿入されている。
【００１５】
洗い場側溜水部１４０の側壁には、浴槽側溜水部２００の側壁から突出形成された浴槽排水管部１３５を接続するための洗い場側接続部１８０が形成される。そして、洗い場側溜水部１４０と浴槽側溜水部２００は、浴槽排水管部１３５を介して連通される。洗い場側溜水部１４０の底面と、浴槽側溜水部２００の底面と、浴槽排水管部の底面とは略同じ高さに配設されている。
【００１６】
図１〜図３に示すように、排水ピース１９０は、洗い場側溜水部１４０に形成される挟持部１４５によって挟み込まれている。挟持部１４５は、排水ピース本体側面１９１を挟み込むように、洗い場接続部１８０の近傍の洗い場側溜水部１４０が内側方向に突出して形成されている。さらに、排水ピース１９０の水平方向の移動を拘束するために、突出した先端は排水ピース１９０側に屈折して形成されている。これにより、洗い場側からの排水による排水ピース１９０の水平方向の位置ずれを防止することができる。なお、この挟持部１４５は、上下方向の移動は拘束されていない。排水ピース１９０は、排水ピース本体１９２と、逆流防止弁１９３と、取っ手部１９４と、を備えている。排水ピース本体１９２は、長方形状の枠体となっているため、開口部１９５を有している。逆流防止弁１９３は、排水ピース本体１９２の開口部１９５の上部に着接されている。開口部１９５と同じ大きさでフィルム形状となっているため、開口部１９５を覆うことができる。取っ手部１９４は、排水ピース本体１９２の上部に一体形成されている。取っ手部１９４に貫通孔１９６が形成されているため、使用者が清掃する際に排水ピース１９０を持ちやすくなり、特に、滑らずに持つことができる。本実施形態に関する排水ピース１９０は、従来排水ピース３１０のように水密部材を介して取り付けられていないことから、排水ピース１９０の取り外しや取り付けがより一層しやすくなる。
【００１７】
排水ピース１９０は、洗い場排水部１２０に流入した排水が浴槽排水管部１３５側に大量に流れ込むことを抑制するための逆流防止機能を有している。ここでいう逆流防止機能とは、排水ピース１９０の逆流防止弁１９３により、洗い場から排水を浴槽配管部１３５に逆流をさせない機能のことをいう。排水ピース本体１９２の上部に一体形成されている取っ手部１９４が形成されており、取っ手部１９４の上部と洗い場側封水筒１７０とが当接している。そのため、洗い場側封水筒１７０が取り付けられた状態では、水平方向及び鉛直方向の移動は拘束されており、洗い場側封水筒１７０が取り外された状態では、鉛直方向の移動が可能なように取り付けられている。取っ手部１９４の上部と洗い場側封水筒１７０が確実に当接することにより、洗い場側溜水部１４０に大量の排水が流れ込んだ際に、排水の流れによる取っ手部１９１の浮き上がりを防止することができる。
【００１８】
次に、本実施形態での、排水の流れについて説明する。
【００１９】
洗い場側または浴槽側から排水があった場合には、洗い場側排水流入部２６０から洗い場側溜水部１４０へ、浴槽側排水流入部２７０から浴槽側溜水部２００へ、排水が流入し、洗い場側溜水部１４０、浴槽側溜水部２００内の水位が上昇する。排水は、下流配管１５０の立ち上がりよりも水位が上昇すると、溢れ出し、下流配管１５０から排水される。洗い場側排水流入部２６０から大量の水が流された場合、下流配管１５０から大量の水が排水される一方で、排水の一部が浴槽排水管部１３５、浴槽側溜水部２００を介して浴槽に逆流しないように、排水ピース１９０の逆流防止弁１９３により逆流を防止している。
【００２０】
洗い場側または浴槽側から排水が停止し、下流配管１５０の立ち上がりより水位が下がると、下流配管１５０からの排水が停止する。洗い場側または浴槽側からの排水が行われない場合、洗い場側溜水部１４０と浴槽側溜水部２００の水位は、洗い場側封水筒１７０と浴槽側封水筒２１０の下端よりも高い状態を保たれる。これにより、封水が確保され、下水側の下流配管１５０からの臭気の遮断や虫などの侵入防止することができる。なお、洗い場側溜水部１４０の封水面と洗い場側封水筒１７０の下端、浴槽側溜水部２００の封水面と浴槽側封水筒２１０の下端によって形成される封水深は、少なくとも５０ｍｍ以上確保されている。これにより、封水切れが生じることが少なくすることができる。
【００２１】
図４に示すように、従来の排水トラップ３００の排水ピース３１０は、浴槽排水口３２０と排水トラップ３００を繋ぐ浴槽排水管部３３０の排水トラップ３００側の端部に水密的に挿着される。排水部３４０の封水深３６０の下端３７０と溢れ面３９０から形成される排水部３４０の封水深３６０を確保しなければならないため、必ず水密的に挿着される必要がある。水密性が確保されない場合には、排水部３４０の封水深３６０の下端３７０は浴槽排水管部３３０の上部となってしまい、排水部３４０の封水深３６０を少なくとも５０ｍｍ以上確保することができない。このように排水ピースが水密的に挿着されていることにより、使用者が清掃する際には、取り外しおよび取り付けが困難であるという課題が生じてしまっていた。
【００２２】
しかし、本発明の一実施形態によれば、浴槽側溜水部２００は排水部３４０の封水深３６０の下端３７０と溢れ面３９０から形成される排水部３４０の封水深３６０を少なくとも５０ｍｍ以上確保できるので、従来の排水トラップ３００の排水ピース３１０のように、浴槽側の排水部３４０の封水深３６０の下端３７０を確保する必要がない。このようにして、従来の排水ピース３１０のように水密性を確保する必要がないため、排水ピース１９０は、水密部材を介して取り付けられておらず、洗い場側接続部１８０を洗い場側溜水部１４０側から覆うように着脱可能に取り付けられている。したがって、逆流防止弁１９３を有する排水ピース１９０を容易に着脱可能とし、且つ浴槽側の排水部における封水深を十分に確保することができる浴室ユニットの排水構造１００を提供することができる。
【図面の簡単な説明】
【００２３】
【図１】実施形態に係る浴室ユニットの排水構造を例示する模式的断面図である。
【図２】実施形態に係る浴室ユニットの排水構造を例示する模式的斜視図である。
【図３】実施形態に係る排水ピースを例示する模式的斜視図である。
【図４】従来の排水ピースを例示する模式的断面図である。
【符号の説明】
【００２４】
１００  浴室ユニットの排水構造、１１１  排水ピット、１１２  洗い場側排水穴、１１０  洗い場床、１２０  洗い場側排水部、１３０  浴槽側排水部、１３５  浴槽配管部、１４０  洗い場側溜水部、１４５  挟持部、１５０  下流配管、１６０  下流配管接続部、１６５  溢れ面、１７０  洗い場側封水筒、１７１  洗い場側封水筒の外フランジ、１８０  洗い場接続部、１９０  排水ピース、１９１  排水ピース本体側面、１９２  排水ピース本体、１９３  逆流防止弁、１９４  取っ手部、１９５  開口部、１９６  貫通孔、２００  浴槽側溜水部、２１０  浴槽側封水筒、２１１  浴槽側封水筒の外フランジ、２２０  洗い場側取付フランジ、２２１  洗い場側上端部、２２２  洗い場側下端部、２２３  洗い場側中央筒部、２３０  浴槽側防水パン、２３１  浴槽側排水穴、２４０  浴室側取付フランジ、２４１  浴槽側上端部、２４２  浴槽側下端部、２４３  浴槽側中央筒部、２５０  浴槽側接続部、２６０  洗い場側排水流入部、２７０  浴槽側排水流入部、３００  排水トラップ、３１０  排水ピース、３２０  浴槽排水口、３３０  浴槽排水管部、３４０  排水部、３５０  排水トラップの封水深、３６０  排水部の封水深、３７０  排水部の封水深の下端、３８０  排水トラップの封水深の下端、３９０  溢れ面
【図１】
2010101050.tif 000003
【図２】
2010101050.tif 000004
【図３】
2010101050.tif 000005
【図４】
2010101050.tif 000006